(57)【要約】【課題】照明装置の器具本体を通り抜ける空気の流通量を十分に確保する。【解決手段】照明装置１０において、器具本体１２の開口された面４１に対向する底面４２には、第１貫通孔２８が設けられている。光源ユニット１４は、器具本体１２の底面４２の第１貫通孔２８が設けられた位置とは異なる位置に取り付けられている。第１化粧材５１は、光源ユニット１４に接する位置から器具本体１２の開口された面４１と第１貫通孔２８との間を通って器具本体１２の内側面４３に向かって延びている。第１化粧材５１の光源ユニット１４から遠い側の端５３と器具本体１２の内側面４３との間には、第１隙間５５が設けられている。器具本体１２の内側面４３の角部４４と第１化粧材５１の起立部５７は、器具本体１２の開口された面４１から第１隙間５５を介して第１貫通孔２８を見通すことを遮っている。【選択図】図３
2017204369.tif 000002
【特許請求の範囲】
【請求項１】
１つの面が開口された箱状であり、開口された面に対向する底面に気流の出口となる貫通孔が設けられた器具本体と、
前記器具本体の底面の前記貫通孔が設けられた位置とは異なる位置に取り付けられた光源ユニットと、
前記光源ユニットに接する位置から前記器具本体の開口された面と前記貫通孔との間を通って前記器具本体の内側面に向かって延び、前記光源ユニットから遠い側の端と前記器具本体の内側面との間に前記気流の入口となる隙間が設けられた化粧材と
を備え、
前記器具本体の内側面と前記化粧材の前記光源ユニットから遠い側の端との少なくともいずれかには、前記器具本体の開口された面から前記隙間を介して前記貫通孔を見通すことを遮る凸部が設けられている照明装置。
【請求項２】
前記化粧材の前記光源ユニットから遠い側の端には、前記凸部として、前記器具本体の底面に向かって立ち上がる起立部が設けられている請求項１に記載の照明装置。
【請求項３】
前記起立部と前記器具本体の内側面との間の距離は、前記器具本体の底面に近い位置ほど長くなっている請求項２に記載の照明装置。
【請求項４】
前記気流の通路は、前記気流の入口から出口にわたって前記隙間の幅よりも広くかつ前記貫通孔の幅と同じか前記貫通孔の幅よりも広い幅を保っている請求項２または３に記載の照明装置。
【請求項５】
前記貫通孔は、前記器具本体の底面における、前記器具本体の開口された面と前記器具本体の内側面との境界および前記起立部の先端を結ぶ直線の延長線上の位置よりも前記光源ユニットが取り付けられた位置の近くに設けられている請求項２から４のいずれか１項に記載の照明装置。
【請求項６】
前記器具本体の内側面には、前記凸部として、前記器具本体の底面に対する角度が変わる角部が設けられ、
前記貫通孔は、前記器具本体の底面における、前記角部の先端および前記起立部の先端を結ぶ直線の延長線上の位置よりも前記光源ユニットが取り付けられた位置の近くに設けられている請求項２から４のいずれか１項に記載の照明装置。
【請求項７】
前記器具本体の内側面には、前記凸部として、前記器具本体の底面に対する角度が変わる角部が設けられている請求項１に記載の照明装置。
【請求項８】
前記貫通孔は、前記器具本体の底面における、前記角部の先端および前記化粧材の前記光源ユニットから遠い側の端を結ぶ直線の延長線上の位置よりも前記光源ユニットが取り付けられた位置の近くに設けられている請求項７に記載の照明装置。
【請求項９】
前記化粧材は、前記器具本体の底面の前記貫通孔が設けられた位置と前記光源ユニットが取り付けられた位置との間に固定された垂直部と、前記垂直部につながる位置から前記器具本体の内側面に向かって延び、前記垂直部とは反対側の端と前記器具本体の内側面との間に前記隙間が設けられた水平部とを有する請求項１から８のいずれか１項に記載の照明装置。
【請求項１０】
前記光源ユニットは、光源部と、前記光源部を点灯させる点灯装置とを有し、
前記水平部は、前記光源ユニットの前記光源部と前記点灯装置との間の部分に接している請求項９に記載の照明装置。
【請求項１１】
前記化粧材である第１化粧材とは別の化粧材である第２化粧材をさらに備え、
前記器具本体の底面には、前記貫通孔である第１貫通孔とは別の貫通孔である第２貫通孔が設けられ、
前記光源ユニットは、前記器具本体の底面の前記第１貫通孔が設けられた位置と前記第２貫通孔が設けられた位置との間に取り付けられ、
前記第２化粧材は、前記光源ユニットに接する位置から前記器具本体の開口された面と前記第２貫通孔との間を通って前記器具本体の他の内側面に向かって延び、前記光源ユニットから遠い側の端と前記器具本体の他の内側面との間に前記隙間である第１隙間とは別の隙間である第２隙間が設けられ、
前記器具本体の他の内側面と前記第２化粧材の前記光源ユニットから遠い側の端との少なくともいずれかには、前記器具本体の開口された面から前記第２隙間を介して前記第２貫通孔を見通すことを遮る凸部が設けられている請求項１から１０のいずれか１項に記載の照明装置。
【発明の詳細な説明】
【技術分野】
【０００１】
本発明は、照明装置に関するものである。
【背景技術】
【０００２】
特許文献１に記載の照明装置では、灯具の天井側の天面に空調ダクト孔が設けられている。この照明装置では、灯具の側壁と灯具内に備えられた反射板との隙間から空調ダクト孔まで通じる空間を介して、天井裏に設置された空気調和機と居室内との間で空気を流通させるようになっている。
【先行技術文献】
【特許文献】
【０００３】
【特許文献１】特開２００８−２１０５６２号公報
【発明の概要】
【発明が解決しようとする課題】
【０００４】
特許文献１に記載の照明装置では、灯具の側壁と反射板との両方がほぼ平板状であるため、灯具の天面の貫通孔を居室内から見えないようにするには、灯具の側壁と反射板との隙間を狭くしなければならず、空気の流通量を十分に確保できないおそれがある。
【０００５】
本発明は、照明装置の器具本体を通り抜ける空気の流通量を十分に確保することを目的とする。
【課題を解決するための手段】
【０００６】
本発明の一態様に係る照明装置は、
１つの面が開口された箱状であり、開口された面に対向する底面に気流の出口となる貫通孔が設けられた器具本体と、
前記器具本体の底面の前記貫通孔が設けられた位置とは異なる位置に取り付けられた光源ユニットと、
前記光源ユニットに接する位置から前記器具本体の開口された面と前記貫通孔との間を通って前記器具本体の内側面に向かって延び、前記光源ユニットから遠い側の端と前記器具本体の内側面との間に前記気流の入口となる隙間が設けられた化粧材と
を備え、
前記器具本体の内側面と前記化粧材の前記光源ユニットから遠い側の端との少なくともいずれかには、前記器具本体の開口された面から前記隙間を介して前記貫通孔を見通すことを遮る凸部が設けられている。
【発明の効果】
【０００７】
本発明では、器具本体の内側面と化粧材の光源ユニットから遠い側の端との少なくともいずれかに設けられた凸部によって、器具本体の開口された面から器具本体の底面の貫通孔を見通すことが遮られている。このため、器具本体の底面の貫通孔を隠しながら、器具本体の内側面と化粧材の光源ユニットから遠い側の端との隙間を広くして、照明装置の器具本体を通り抜ける空気の流通量を十分に確保することができる。
【図面の簡単な説明】
【０００８】
【図１】実施の形態１に係る照明装置の斜視図。
【図２】実施の形態１に係る照明装置の分解斜視図。
【図３】実施の形態１に係る照明装置の（ａ）平面図および（ｂ）断面図。
【図４】実施の形態１に係る光源ユニットの斜視図。
【図５】実施の形態１に係る照明器具の分解斜視図。
【図６】図３の部分拡大図。
【図７】実施の形態１の変形例に係る照明装置の（ａ）平面図および（ｂ）断面図。
【図８】実施の形態２に係る照明装置の（ａ）平面図および（ｂ）断面図。
【図９】実施の形態３に係る照明装置の（ａ）平面図および（ｂ）断面図。
【図１０】実施の形態３の変形例に係る照明装置の（ａ）平面図および（ｂ）断面図。
【発明を実施するための形態】
【０００９】
以下、本発明の実施の形態について、図を用いて説明する。なお、各図中、同一または相当する部分には、同一符号を付している。実施の形態の説明において、同一または相当する部分については、説明を適宜省略または簡略化する。また、実施の形態の説明において、「上」、「下」、「左」、「右」、「前」、「後」、「表」、「裏」といった配置または向きは、説明の便宜上、そのように記しているだけであって、装置、器具、部品等の配置または向きを限定するものではない。装置、器具、部品等の構成について、材質、形状、大きさ等は、本発明の範囲内で適宜変更することができる。
【００１０】
実施の形態１．
本実施の形態について、図１から図６を用いて説明する。
【００１１】
＊＊＊構成の説明＊＊＊
図１、図２および図３を参照して、本実施の形態に係る照明装置１０の構成を説明する。
【００１２】
図１は、照明装置１０を斜め下方から見た図である。図２は、図１の照明装置１０を分解した図である。図３の（ａ）は、照明装置１０の一部を上方から見た図である。図３の（ｂ）は、照明装置１０の縦断面を示した図である。なお、本実施の形態の説明において、「上方」、「下方」、「側方」、「前方」、「後方」、「斜め上方」、「斜め下方」といった方向は、照明装置１０が天井に取り付けられているときの方向を示している。照明装置１０は、本実施の形態では、システム天井に取り付けられるが、システム天井以外の天井に取り付けられてもよいし、壁等、天井以外の被取付部に取り付けられてもよい。
【００１３】
照明装置１０は、照明器具１１と、光源ユニット１４とを備える。照明器具１１は、器具本体１２と、取付具１３と、第１化粧材５１と、第２化粧材５２とを有する。すなわち、照明装置１０は、器具本体１２と、光源ユニット１４と、取付具１３と、第１化粧材５１と、第２化粧材５２とを備える。
【００１４】
器具本体１２は、任意の形状でよいが、本実施の形態では、幅寸法よりも長さ寸法が大きい長尺状である。器具本体１２の高さ寸法は、任意の寸法でよいが、本実施の形態では、幅寸法よりも小さい。幅寸法とは、幅方向Ｘの寸法のことである。長さ寸法とは、長さ方向Ｙの寸法のことである。高さ寸法とは、高さ方向Ｚの寸法のことである。
【００１５】
第１化粧材５１および第２化粧材５２は、幅方向Ｘに並ぶように器具本体１２の内側に取り付けられている。第１化粧材５１および第２化粧材５２は、器具本体１２に取付可能な形状であればよいが、本実施の形態では、器具本体１２の形状にあわせて、幅寸法よりも長さ寸法が大きい長尺状になっている。第１化粧材５１および第２化粧材５２は、幅方向Ｘにおいて互いに線対称な形状である。
【００１６】
取付具１３は、器具本体１２の外側に取り付けられている。取付具１３の数は、任意の数でよいが、本実施の形態では、２つである。照明装置１０は、本実施の形態では、取付具１３をシステム天井の天井枠に引っ掛けることで、システム天井に取り付けられるが、後述するように、ボルト等の固定具によりシステム天井以外の被取付部に取り付けられてもよい。
【００１７】
光源ユニット１４は、第１化粧材５１および第２化粧材５２の間に位置するように器具本体１２の内側に取り付けられている。光源ユニット１４は、着脱できないように器具本体１２に固定されていてもよいが、本実施の形態では、器具本体１２に着脱自在に取り付けられている。光源ユニット１４は、器具本体１２に取付可能な形状であればよいが、本実施の形態では、器具本体１２の形状にあわせて、幅寸法よりも長さ寸法が大きい長尺状になっている。
【００１８】
図３および図４を参照して、光源ユニット１４の構成を説明する。
【００１９】
図４は、光源ユニット１４を斜め上方から見た図である。
【００２０】
光源ユニット１４は、光源部３０と、保持部３１と、カバー部３２と、光源蓋部３３と、連結部３４と、点灯装置３５とを有する。
【００２１】
光源部３０は、光を照射する。本実施の形態において、光源部３０は、複数のＬＥＤ１８と、これら複数のＬＥＤ１８が実装された基板１９とからなる。基板１９は、光源ユニット１４が器具本体１２に装着された状態で長尺方向が器具本体１２の長尺方向とほぼ一致するように長尺状に形成されている。ＬＥＤ１８は、基板１９の長尺方向に沿って直線状に並ぶように基板１９に配置されている。なお、ＬＥＤ１８に代えて、有機ＥＬ、レーザダイオード等、他の種類の固体発光素子が用いられてもよい。固体発光素子の数は、複数に限らず、１つであってもよい。
【００２２】
保持部３１は、光源部３０を片面である光源設置面１５で保持し、点灯装置３５を別の片面である保持部背面１６で保持している。本実施の形態において、保持部３１は、長手状である。保持部３１は、光源部３０が取り付けられる矩形板状の底壁部３６と、底壁部３６の長手方向の両側辺から垂直に突出した側壁部３７とからなる。すなわち、保持部３１は、片面が光源設置面１５であり、別の片面が保持部背面１６である底壁部３６と、この別の片面の両側から立ち上がる側壁部３７とを有する。底壁部３６の光源部３０が取り付けられる面である光源設置面１５の反対側の保持部背面１６には、点灯装置３５だけでなく、連結部３４も配置されている。
【００２３】
カバー部３２は、保持部３１の光源設置面１５がある側に取り付けられ、光源部３０を覆っている。カバー部３２は、光源部３０から照射される光を、外側に露出している発光面１７から出射する。本実施の形態において、カバー部３２は、長手状である。カバー部３２は、光源部３０の光軸方向に配置されて光源部３０から遠ざかる方向に張り出す第１湾曲部３８と、第１湾曲部３８の両側に形成されて光源部３０に近づく方向に凹む第２湾曲部３９とを有する。第１湾曲部３８は、断面が円弧状に形成されている。第１湾曲部３８は、光源部３０から照射される光を拡散させることで配光を制御する。第２湾曲部３９は、光源ユニット１４の着脱時に作業者によってつまんで保持される。カバー部３２は、さらに、断面がコ字状であり、第２湾曲部３９の端部に形成され、保持部３１を側壁部３７側より挟み込むように保持部３１に固定される接続部４０を有する。カバー部３２は、押出成形が可能な樹脂材料で形成されている。樹脂材料としては、ポリカーボネート（ＰＣ）等が使用される。カバー部３２には、光の波長変換の機能が付加されていてもよい。
【００２４】
光源蓋部３３は、保持部３１およびカバー部３２の長手方向の両端部に形成される開口を塞いでいる。
【００２５】
連結部３４は、光源ユニット１４を器具本体１２に固定するための金具である。連結部３４には、穴が開けられている。連結部３４は、保持部３１の底壁部３６の２箇所にネジで固定されている。
【００２６】
点灯装置３５は、光源部３０に電力を供給する。これにより、点灯装置３５は、光源部３０を点灯させる。具体的には、点灯装置３５は、器具本体１２を介して入力される商用電源からの交流電力を直流電力に変換し、この直流電力を光源部３０に供給することで、光源部３０を点灯させる。図示していないが、点灯装置３５は、交流電力を直流電力に変換する点灯回路部を有する。点灯回路部は、点灯装置３５の箱形状のケースに収容されている。
【００２７】
図５を参照して、照明器具１１の構成を説明する。
【００２８】
図５は、図２の照明器具１１を分解した図である。
【００２９】
前述したように、照明器具１１は、器具本体１２と、取付具１３と、第１化粧材５１と、第２化粧材５２とを有する。
【００３０】
器具本体１２は、内側壁２１と、外側壁２２と、底壁２３と、蓋部２４とを有する。
【００３１】
内側壁２１および外側壁２２は、器具本体１２の長手方向に延びるように１対ずつ設けられている。対になる内側壁２１と底壁２３とに囲まれた空間は、光源ユニット１４と第１化粧材５１と第２化粧材５２とを収納するための空間になっている。
【００３２】
底壁２３は、器具本体１２の長手方向に延びるように設けられている。底壁２３の片面には、バネ部２５と端子台２６とが取り付けられている。底壁２３の片面には、第１化粧材５１および第２化粧材５２も取り付けられる。第１化粧材５１と第２化粧材５２と底壁２３とに囲まれた空間は、点灯装置３５を収納するための空間になる。底壁２３の別の片面には、取付具１３が取り付けられる。底壁２３には、ボルト等の固定具により器具本体１２を被取付部へ固定するための固定孔２０と、商用電源に接続された電線を引き込むための引込孔２７と、空気調和機が設置される天井裏および室内の間で空気を流通させるための第１貫通孔２８および第２貫通孔２９とが設けられている。なお、本実施の形態では、照明装置１０が取付具１３によりシステム天井に固定されるため、固定孔２０はなくてもよい。
【００３３】
蓋部２４は、器具本体１２の短手方向に延びるように、器具本体１２の長手方向の両端に設けられている。蓋部２４は、内側壁２１、外側壁２２および底壁２３の長手方向の両端部に形成される開口を塞いでいる。
【００３４】
端子台２６は、引込孔２７から引き込まれる電線と接続され、商用電源から供給される電力を点灯装置３５に供給する。そのために、端子台２６は、給電用の電線を介して点灯装置３５に接続される。
【００３５】
バネ部２５は、底壁２３において、器具本体１２の長手方向の両端付近に１つずつ配置されている。バネ部２５は、先端部分が折れ曲がっており、中間部分が湾曲している。底壁２３におけるバネ部２５の設置箇所は、保持部３１の底壁部３６における連結部３４の設置箇所と対応している。
【００３６】
ここで、光源ユニット１４の器具本体１２への装着方法を説明する。
【００３７】
まず、器具本体１２のバネ部２５の先端部分が、光源ユニット１４の連結部３４の穴に引っ掛けられる。
【００３８】
次に、光源ユニット１４が器具本体１２側へ押し込まれることで、光源ユニット１４の一部が第１化粧材５１および第２化粧材５２の間に形成された空間内に挿入される。このとき、バネ部２５の中間部分が連結部３４の穴の縁部で摺動しながら、連結部３４の先端部分が器具本体１２の底壁２３に当たるまで、光源ユニット１４が押し込まれる。これにより、光源ユニット１４が器具本体１２に固定される。
【００３９】
図３、図５および図６を参照して、照明装置１０の構成をさらに説明する。
【００４０】
図６は、図３の点線で囲まれた部分を拡大した図である。
【００４１】
器具本体１２は、１つの面４１が開口された箱状である。器具本体１２の開口された面４１に対向する底面４２には、気流の出口となる貫通孔である第１貫通孔２８が設けられている。器具本体１２の底面４２は、底壁２３の片面に相当する。本実施の形態では、さらに、器具本体１２の底面４２に、第１貫通孔２８とは別の貫通孔である第２貫通孔２９が設けられている。第２貫通孔２９は、第１貫通孔２８と同じように、気流の出口となる貫通孔である。
【００４２】
光源ユニット１４は、器具本体１２の底面４２の第１貫通孔２８が設けられた位置とは異なる位置に取り付けられている。本実施の形態では、光源ユニット１４は、器具本体１２の底面４２の第１貫通孔２８が設けられた位置と第２貫通孔２９が設けられた位置との間に取り付けられている。
【００４３】
光源ユニット１４の側方には、第１貫通孔２８を隠すための化粧材である第１化粧材５１が光源ユニット１４に接するように配置されている。第１化粧材５１は、光源ユニット１４に接する位置から器具本体１２の開口された面４１と第１貫通孔２８との間を通って器具本体１２の内側面４３に向かって延びている。第１化粧材５１の光源ユニット１４から遠い側の端５３と器具本体１２の内側面４３との間には、気流の入口となる隙間である第１隙間５５が設けられている。本実施の形態では、さらに、光源ユニット１４の第１化粧材５１がある側とは反対側の側方に、第１化粧材５１とは別の化粧材である第２化粧材５２が光源ユニット１４に接するように配置されている。第２化粧材５２は、第２貫通孔２９を隠すための化粧材である。第２化粧材５２は、光源ユニット１４に接する位置から器具本体１２の開口された面４１と第２貫通孔２９との間を通って器具本体１２の他の内側面４３に向かって延びている。第２化粧材５２の光源ユニット１４から遠い側の端５４と器具本体１２の他の内側面４３との間には、第１隙間５５とは別の隙間である第２隙間５６が設けられている。第２隙間５６は、第１隙間５５と同じように、気流の入口となる隙間である。
【００４４】
器具本体１２の開口された面４１と器具本体１２の底面４２の第１貫通孔２８との間には、凸部が介在している。具体的には、器具本体１２の内側面４３と第１化粧材５１の光源ユニット１４から遠い側の端５３に、器具本体１２の開口された面４１から第１隙間５５を介して第１貫通孔２８を見通すことを遮る凸部が設けられている。より具体的には、そのような凸部として、器具本体１２の内側面４３に角部４４、第１化粧材５１の光源ユニット１４から遠い側の端５３に起立部５７が設けられている。本実施の形態では、器具本体１２の開口された面４１と器具本体１２の底面４２の第２貫通孔２９との間にも、凸部が介在している。具体的には、器具本体１２の他の内側面４３と第２化粧材５２の光源ユニット１４から遠い側の端５４に、器具本体１２の開口された面４１から第２隙間５６を介して第２貫通孔２９を見通すことを遮る凸部が設けられている。より具体的には、そのような凸部として、器具本体１２の他の内側面４３に角部４４、第１化粧材５１の光源ユニット１４から遠い側の端５４に起立部５８が設けられている。角部４４は、器具本体１２のそれぞれの内側面４３において、器具本体１２の底面４２に対する角度が変わる部分である。起立部５７は、第１化粧材５１の光源ユニット１４から遠い側の端５３において、器具本体１２の底面４２に向かって立ち上がる部分である。起立部５８は、第２化粧材５２の光源ユニット１４から遠い側の端５４において、器具本体１２の底面４２に向かって立ち上がる部分である。
【００４５】
第１貫通孔２８は、器具本体１２の底面４２における、角部４４の先端および起立部５７の先端を結ぶ直線の延長線上の位置よりも光源ユニット１４が取り付けられた位置の近くに設けられている。すなわち、第１貫通孔２８は、角部４４の先端の点Ｐから起立部５７の先端の点Ｑまで引いた直線の延長線と器具本体１２の底面４２とが交わる位置よりも底面４２の幅方向Ｘの中心位置の近くに配置されている。したがって、どの位置から照明装置１０を見上げても第１貫通孔２８が見えないため、照明装置１０の意匠性を保つことができる。第２貫通孔２９も、器具本体１２の底面４２における、角部４４の先端および起立部５８の先端を結ぶ直線の延長線上の位置よりも光源ユニット１４が取り付けられた位置の近くに設けられている。したがって、どの位置から照明装置１０を見上げても第２貫通孔２９が見えないため、照明装置１０の意匠性を保つことができる。
【００４６】
第１隙間５５から第１貫通孔２８まで形成された気流の通路は、気流の入口から出口にわたって第１隙間５５の幅と同じか第１隙間５５の幅よりも広くかつ第１貫通孔２８の幅と同じか第１貫通孔２８の幅よりも広い幅を保っている。具体的には、この通路は、入口が第１隙間５５、出口が第１貫通孔２８であり、入口の直後から途中までは第１隙間５５の幅と同じかつ第１貫通孔２８の幅と同じ幅を保ち、途中から出口の直前までは第１隙間５５の幅よりも広くかつ第１貫通孔２８の幅よりも広い幅を保っている。本実施の形態では、起立部５７と器具本体１２の内側面４３が同じ角度で傾斜しているが、起立部５７は、器具本体１２の内側面４３よりも小さい角度で傾斜していてもよい。すなわち、本実施の形態では、起立部５７と器具本体１２の内側面４３との間の距離が一定であるが、起立部５７と器具本体１２の内側面４３との間の距離は、器具本体１２の底面４２に近い位置ほど長くなっていてもよい。その場合、気流の通路は、入口の直後から途中まで徐々に幅が広がっていくことになるため、入口から出口にわたって第１隙間５５の幅よりも広くかつ第１貫通孔２８の幅よりも広い幅を保つことになる。また、本実施の形態では、第１隙間５５の幅と第１貫通孔２８の幅が同じであるが、第１隙間５５の幅は、第１貫通孔２８の幅より広くてもよい。すなわち、本実施の形態では、第１隙間５５の幅方向Ｘの両端間の距離と第１貫通孔２８の幅方向Ｘの両端間の距離が同じであるが、第１隙間５５の幅方向Ｘの両端間の距離は、第１貫通孔２８の幅方向Ｘの両端間の距離より長くなっていてもよい。その場合、気流の通路は、入口の直後から途中までは第１隙間５５の幅と同じかつ第１貫通孔２８の幅よりも広い幅を保ち、途中から出口の直前までは第１隙間５５の幅よりも広くかつ第１貫通孔２８の幅よりも広い幅を保つことになる。
【００４７】
上記のように、本実施の形態では、第１隙間５５から第１貫通孔２８まで形成された気流の通路の入口と出口との間に狭まっている箇所がないため、空気の流通量を最大化できる。
【００４８】
第２隙間５６から第２貫通孔２９まで形成された気流の通路については、第１隙間５５から第１貫通孔２８まで形成された気流の通路と同様であるため、説明を省略する。
【００４９】
本実施の形態では、第１貫通孔２８が、器具本体１２の底面４２における、器具本体１２の内側面４３の下端および起立部５７の先端を結ぶ直線の延長線上の位置よりも底面４２の幅方向Ｘの中心位置から遠くに設けられている。すなわち、第１貫通孔２８は、器具本体１２の内側面４３の下端の点Ｐ’から起立部５７の先端の点Ｑまで引いた直線の延長線と器具本体１２の底面４２とが交わる位置よりも底面４２の幅方向Ｘの中心位置から遠くに配置されている。このため、仮に、器具本体１２の内側面４３に角部４４がなく、器具本体１２の内側面４３が平坦であったとすると、位置によっては照明装置１０を見上げたときに第１隙間５５を介して第１貫通孔２８が見えてしまうことがある。角部４４を設ける代わりに、起立部５７を器具本体１２の内側面４３に接近させることで第１貫通孔２８を隠してもよいが、本実施の形態では、角部４４を設けることで、第１隙間５５をより一層広くし、空気の流通量を増大させることができる。
【００５０】
また、本実施の形態では、第１貫通孔２８が、器具本体１２の底面４２における、角部４４の先端および第１化粧材５１の光源ユニット１４から遠い側の端５３を結ぶ直線の延長線上の位置よりも底面４２の幅方向Ｘの中心位置から遠くに設けられている。すなわち、第１貫通孔２８は、角部４４の先端の点Ｐから第１化粧材５１の光源ユニット１４から遠い側の端５３の点Ｑ’まで引いた直線の延長線と器具本体１２の底面４２とが交わる位置よりも底面４２の幅方向Ｘの中心位置から遠くに配置されている。このため、仮に、第１化粧材５１に起立部５７がなかったとすると、位置によっては照明装置１０を見上げたときに第１隙間５５を介して第１貫通孔２８が見えてしまうことがある。起立部５７を設ける代わりに、第１化粧材５１の光源ユニット１４から遠い側の端５３を器具本体１２の内側面４３に接近させることで第１貫通孔２８を隠してもよいが、本実施の形態では、起立部５７を設けることで、第１隙間５５をより一層広くし、空気の流通量を増大させることができる。
【００５１】
上記のように、本実施の形態では、角部４４と起立部５７との組み合わせによって、第１貫通孔２８を隠しつつ、空気の流通量を増大させることができる。
【００５２】
角部４４と起立部５８との組み合わせについては、角部４４と起立部５７との組み合わせと同様であるため、説明を省略する。
【００５３】
第１化粧材５１は、さらに、垂直部５９と、水平部６１とを有する。垂直部５９は、高さ方向Ｚに延びている。垂直部５９は、器具本体１２の底面４２の第１貫通孔２８が設けられた位置と光源ユニット１４が取り付けられた位置との間に固定されている。水平部６１は、垂直部５９につながり、幅方向Ｘに延びている。すなわち、水平部６１は、垂直部５９につながる位置から器具本体１２の内側面４３に向かって延びている。水平部６１は、下方から見たときに第１貫通孔２８を覆う長さになるように形成されている。水平部６１の垂直部５９とは反対側の端５３と器具本体１２の内側面４３との間には、第１隙間５５が設けられている。本実施の形態において、水平部６１は、光源ユニット１４の光源部３０と点灯装置３５との間の部分に接している。具体的には、水平部６１は、光源ユニット１４のカバー部３２の接続部４０に接している。これにより、水平部６１は、発光面１７を形成しているカバー部３２の第１湾曲部３８と第２湾曲部３９とから出射される光を遮ることなく、第１貫通孔２８を隠すことができる。また、第１化粧材５１の光源ユニット１４に隣接する箇所が水平部６１になっている、すなわち、平坦になっていることで、光源ユニット１４の着脱時に光源ユニット１４を掴みやすくなる。
【００５４】
本実施の形態において、第１化粧材５１は、垂直部５９の高さ方向Ｚの一端が器具本体１２の底壁２３の複数箇所にネジ等で固定されるとともに、水平部６１の長さ方向Ｙの両端が器具本体１２の蓋部２４の少なくとも１箇所に引っ掛けられることで、器具本体１２に固定されている。第１化粧材５１の光源ユニット１４から遠い側の端５３は、器具本体１２に直接固定されていないが、本実施の形態では、垂直部５９と水平部６１とが１枚の板状部材を折り曲げ加工して一体に形成されることで、気流による水平部６１の撓みが抑制または防止される。
【００５５】
本実施の形態では、第２化粧材５２は、第１化粧材５１の垂直部５９と同様に構成された垂直部６０と、第１化粧材５１の水平部６１と同様に構成された水平部６２とを有する。
【００５６】
＊＊＊実施の形態の効果の説明＊＊＊
本実施の形態では、器具本体１２の内側面４３と化粧材の光源ユニット１４から遠い側の端とに設けられた凸部によって、器具本体１２の開口された面４１から器具本体１２の底面４２の貫通孔を見通すことが遮られている。このため、器具本体１２の底面４２の貫通孔を隠しながら、器具本体１２の内側面４３と化粧材の光源ユニット１４から遠い側の端との隙間を広くして、照明装置１０の器具本体１２を通り抜ける空気の流通量を十分に確保することができる。
【００５７】
＊＊＊他の構成＊＊＊
本実施の形態では、器具本体１２の内側面４３が上端から下端に向かって幅方向Ｘの外側に一定の角度で傾斜し、角部４４を境に、より緩やかな角度で傾斜しているが、器具本体１２の内側面４３の形状は適宜変更することができる。変形例について、主に本実施の形態との差異を説明する。
【００５８】
図７を参照して、本実施の形態の変形例に係る照明装置１０の構成を説明する。
【００５９】
図７の（ａ）は、照明装置１０の一部を上方から見た図である。図７の（ｂ）は、照明装置１０の縦断面を示した図である。
【００６０】
この変形例では、器具本体１２の内側面４３が上端から下端に向かって幅方向Ｘの内側に傾斜し、角部４４を境に、幅方向Ｘの外側に傾斜している。
【００６１】
第１隙間５５から第１貫通孔２８まで形成された気流の通路は、気流の入口から出口にわたって第１隙間５５の幅よりも広くかつ第１貫通孔２８の幅よりも広い幅を保っている。この変形例では、起立部５７が垂直に立ち上がっているため、起立部５７と器具本体１２の内側面４３との間の距離が器具本体１２の底面４２に近い位置ほど長くなっている。よって、気流の通路は、入口の直後から途中まで徐々に幅が広がっており、入口から流入する空気が通路の内部を流れやすくなっている。
【００６２】
上記のように、この変形例でも、第１隙間５５から第１貫通孔２８まで形成された気流の通路の入口と出口との間に狭まっている箇所がないため、空気の流通量を最大化できる。また、この変形例によれば、器具本体１２の内側面４３が上端から途中まで幅方向Ｘの内側に傾斜しており、器具本体１２の底面４２と内側面４３との境目が真下から見えないようになっているため、照明装置１０の意匠性が向上する。
【００６３】
第２隙間５６から第２貫通孔２９まで形成された気流の通路については、第１隙間５５から第１貫通孔２８まで形成された気流の通路と同様であるため、説明を省略する。
【００６４】
実施の形態２．
本実施の形態について、主に実施の形態１との差異を説明する。
【００６５】
＊＊＊構成の説明＊＊＊
図８を参照して、本実施の形態に係る照明装置１０の構成を説明する。
【００６６】
図８の（ａ）は、照明装置１０の一部を上方から見た図である。図８の（ｂ）は、照明装置１０の縦断面を示した図である。
【００６７】
実施の形態１では、器具本体１２の内側面４３に設けられた角部４４と、第１化粧材５１の光源ユニット１４から遠い側の端５３に設けられた起立部５７との組み合わせによって、器具本体１２の開口された面４１から第１隙間５５を介して第１貫通孔２８を見通すことが遮られている。これに対し、本実施の形態では、器具本体１２の内側面４３に角部４４がなく、器具本体１２の内側面４３が平坦である。そのため、起立部５７のみによって、器具本体１２の開口された面４１から第１隙間５５を介して第１貫通孔２８を見通すことが遮られている。
【００６８】
第１貫通孔２８は、器具本体１２の底面４２における、器具本体１２の内側面４３の下端および起立部５７の先端を結ぶ直線の延長線上の位置よりも光源ユニット１４が取り付けられた位置の近くに設けられている。すなわち、第１貫通孔２８は、器具本体１２の内側面４３の下端の点Ｐ’から起立部５７の先端の点Ｑまで引いた直線の延長線と器具本体１２の底面４２とが交わる位置よりも底面４２の幅方向Ｘの中心位置の近くに配置されている。したがって、どの位置から照明装置１０を見上げても第１貫通孔２８が見えないため、照明装置１０の意匠性を保つことができる。第２貫通孔２９の配置については、第１貫通孔２８の配置と同様であるため、説明を省略する。
【００６９】
第１隙間５５から第１貫通孔２８まで形成された気流の通路は、気流の入口から出口にわたって第１隙間５５の幅よりも広くかつ第１貫通孔２８の幅よりも広い幅を保っている。本実施の形態では、起立部５７が、器具本体１２の内側面４３よりも小さい角度で傾斜している。すなわち、本実施の形態では、起立部５７と器具本体１２の内側面４３との間の距離が、器具本体１２の底面４２に近い位置ほど長くなっている。よって、気流の通路は、入口の直後から途中まで徐々に幅が広がっており、入口から流入する空気が通路の内部を流れやすくなっている。
【００７０】
上記のように、本実施の形態では、実施の形態１と同じように、第１隙間５５から第１貫通孔２８まで形成された気流の通路の入口と出口との間に狭まっている箇所がないため、空気の流通量を最大化できる。
【００７１】
第２隙間５６から第２貫通孔２９まで形成された気流の通路については、第１隙間５５から第１貫通孔２８まで形成された気流の通路と同様であるため、説明を省略する。
【００７２】
＊＊＊実施の形態の効果の説明＊＊＊
本実施の形態では、化粧材の光源ユニット１４から遠い側の端に設けられた凸部によって、器具本体１２の開口された面４１から器具本体１２の底面４２の貫通孔を見通すことが遮られている。このため、器具本体１２の底面４２の貫通孔を隠しながら、器具本体１２の内側面４３と化粧材の光源ユニット１４から遠い側の端との隙間を広くして、照明装置１０の器具本体１２を通り抜ける空気の流通量を十分に確保することができる。
【００７３】
実施の形態３．
本実施の形態について、主に実施の形態１との差異を説明する。
【００７４】
＊＊＊構成の説明＊＊＊
図９を参照して、本実施の形態に係る照明装置１０の構成を説明する。
【００７５】
図９の（ａ）は、照明装置１０の一部を上方から見た図である。図９の（ｂ）は、照明装置１０の縦断面を示した図である。
【００７６】
実施の形態１では、器具本体１２の内側面４３に設けられた角部４４と、第１化粧材５１の光源ユニット１４から遠い側の端５３に設けられた起立部５７との組み合わせによって、器具本体１２の開口された面４１から第１隙間５５を介して第１貫通孔２８を見通すことが遮られている。これに対し、本実施の形態では、第１化粧材５１に起立部５７がない。そのため、角部４４のみによって、器具本体１２の開口された面４１から第１隙間５５を介して第１貫通孔２８を見通すことが遮られている。
【００７７】
第１貫通孔２８は、器具本体１２の底面４２における、角部４４の先端および第１化粧材５１の光源ユニット１４から遠い側の端５３を結ぶ直線の延長線上の位置よりも光源ユニット１４が取り付けられた位置の近くに設けられている。すなわち、第１貫通孔２８は、角部４４の先端の点Ｐから第１化粧材５１の光源ユニット１４から遠い側の端５３の点Ｑ’まで引いた直線の延長線と器具本体１２の底面４２とが交わる位置よりも底面４２の幅方向Ｘの中心位置の近くに配置されている。したがって、どの位置から照明装置１０を見上げても第１貫通孔２８が見えないため、照明装置１０の意匠性を保つことができる。第２貫通孔２９の配置については、第１貫通孔２８の配置と同様であるため、説明を省略する。
【００７８】
第１隙間５５から第１貫通孔２８まで形成された気流の通路は、気流の入口から出口にわたって第１隙間５５の幅よりも広くかつ第１貫通孔２８の幅よりも広い幅を保っている。本実施の形態では、実施の形態１と同じように、第１隙間５５から第１貫通孔２８まで形成された気流の通路の入口と出口との間に狭まっている箇所がないため、空気の流通量を最大化できる。
【００７９】
第２隙間５６から第２貫通孔２９まで形成された気流の通路については、第１隙間５５から第１貫通孔２８まで形成された気流の通路と同様であるため、説明を省略する。
【００８０】
＊＊＊実施の形態の効果の説明＊＊＊
本実施の形態では、器具本体１２の内側面４３に設けられた凸部によって、器具本体１２の開口された面４１から器具本体１２の底面４２の貫通孔を見通すことが遮られている。このため、器具本体１２の底面４２の貫通孔を隠しながら、器具本体１２の内側面４３と化粧材の光源ユニット１４から遠い側の端との隙間を広くして、照明装置１０の器具本体１２を通り抜ける空気の流通量を十分に確保することができる。
【００８１】
また、本実施の形態によれば、器具本体１２の内側面４３が上端から途中まで幅方向Ｘの内側に傾斜しており、器具本体１２の底面４２と内側面４３との境目が真下から見えないようになっているため、照明装置１０の意匠性が向上する。
【００８２】
＊＊＊他の構成＊＊＊
本実施の形態では、器具本体１２の内側面４３が上端から下端に向かって幅方向Ｘの内側に傾斜し、角部４４を境に、幅方向Ｘの外側に傾斜しているが、器具本体１２の内側面４３の形状は適宜変更することができる。変形例について、主に本実施の形態との差異を説明する。
【００８３】
図１０を参照して、本実施の形態の変形例に係る照明装置１０の構成を説明する。
【００８４】
図１０の（ａ）は、照明装置１０の一部を上方から見た図である。図１０の（ｂ）は、照明装置１０の縦断面を示した図である。
【００８５】
この変形例では、器具本体１２の内側面４３が上端から下端に向かって幅方向Ｘの外側に傾斜し、一旦幅方向Ｘの内側に水平に延びてから、角部４４を境に、再び幅方向Ｘの外側に傾斜している。
【００８６】
第１隙間５５から第１貫通孔２８まで形成された気流の通路は、気流の入口から出口にわたって第１隙間５５の幅よりも広くかつ第１貫通孔２８の幅よりも広い幅を保っている。この変形例でも、第１隙間５５から第１貫通孔２８まで形成された気流の通路の入口と出口との間に狭まっている箇所がないため、空気の流通量を最大化できる。
【００８７】
第２隙間５６から第２貫通孔２９まで形成された気流の通路については、第１隙間５５から第１貫通孔２８まで形成された気流の通路と同様であるため、説明を省略する。
【００８８】
以上、本発明の実施の形態について説明したが、これらの実施の形態のうち、２つ以上の実施の形態を組み合わせて実施しても構わない。あるいは、これらの実施の形態のうち、１つの実施の形態または２つ以上の実施の形態の組み合わせを部分的に実施しても構わない。なお、本発明は、これらの実施の形態に限定されるものではなく、必要に応じて種々の変更が可能である。
【符号の説明】
【００８９】
１０  照明装置、１１  照明器具、１２  器具本体、１３  取付具、１４  光源ユニット、１５  光源設置面、１６  保持部背面、１７  発光面、１８  ＬＥＤ、１９  基板、２０  固定孔、２１  内側壁、２２  外側壁、２３  底壁、２４  蓋部、２５  バネ部、２６  端子台、２７  引込孔、２８  第１貫通孔、２９  第２貫通孔、３０  光源部、３１  保持部、３２  カバー部、３３  光源蓋部、３４  連結部、３５  点灯装置、３６  底壁部、３７  側壁部、３８  第１湾曲部、３９  第２湾曲部、４０  接続部、４１  面、４２  底面、４３  内側面、４４  角部、５１  第１化粧材、５２  第２化粧材、５３  端、５４  端、５５  第１隙間、５６  第２隙間、５７  起立部、５８  起立部、５９  垂直部、６０  垂直部、６１  水平部、６２  水平部。
【図１】
2017204369.tif 000003
【図２】
2017204369.tif 000004
【図３】
2017204369.tif 000005
【図４】
2017204369.tif 000006
【図５】
2017204369.tif 000007
【図６】
2017204369.tif 000008
【図７】
2017204369.tif 000009
【図８】
2017204369.tif 000010
【図９】
2017204369.tif 000011
【図１０】
2017204369.tif 000012